(57)【特許請求の範囲】
【請求項１】
表示領域と側面部とを有する液晶パネルと、
前記液晶パネルに光を供給して、高圧側ワイヤと低圧側ワイヤとが連結されたランプを有するバックライトと、
前記液晶パネルの表示領域の縁を覆う第１面と、前記液晶パネルの側面部を覆う第２面とを有する金属製のトップフレームと、
前記液晶パネルと前記バックライトとを前記トップフレームとの間に設けて前記トップフレームの第２面と結合するプラスチック製のメーンフレームと、
前記ランプの長手方向に延長され、前記メーンフレームを支えて、内側に前記ランプを収容するように設けられた側面部に突出部を形成した金属製の下部カバーと、
前記バックライトのランプに連結されて前記下部カバーの側面部において外方へ引き出される前記高圧側ワイヤと前記低圧側ワイヤとをガイドして、ガイドする側と反対側において前記下部カバーの突出部に装着されたプラスチック製のワイヤホルダーと、
前記トップフレームの第２面と前記ワイヤホルダーとの間において前記メーンフレームから突出するように形成されたプラスチック製のメーンフレームリーブとを含むことを特徴とする液晶表示装置モジュール。
【請求項２】
前記下部カバーは、前記メーンフレームの底面と実質的に同一線上に位置して、前記ランプに沿って延長された第１面と、前記第１面から前記液晶パネル方向に垂直に折り曲げられて前記ランプの両末端外廓に位置した二つの第２面と、前記第１面と第２面とに垂直であり前記ランプに沿って延長される第３面とを有することを特徴とする請求項１に記載の液晶表示装置モジュール。
【請求項３】
前記ワイヤホルダーは、前記第３面に装着されることを特徴とする請求項２に記載の液晶表示装置モジュール。
【請求項４】
前記ワイヤホルダーは、前記下部カバーの第２面から約１０ｍｍほど離隔された位置に装着されたことを特徴とする請求項３に記載の液晶表示装置モジュール。
【請求項５】
前記ワイヤホルダーは、ポリカーボネート材質でなることを特徴とする請求項１に記載の液晶表示装置モジュール。
【請求項６】
前記ワイヤホルダーは、前記高圧側ワイヤと前記低圧側ワイヤとを各々ガイドするガイド溝を有することを特徴とする請求項５に記載の液晶表示装置モジュール。
【請求項７】
前記各ガイド溝は、Ｕ字形溝であることを特徴とする請求項６に記載の液晶表示装置モジュール。
【請求項８】
前記下部カバーの第３面は、前記ワイヤホルダーが装着される嵌込み部を有することを特徴とする請求項２に記載の液晶表示装置モジュール。
【請求項９】
前記下部カバーの第３面に形成された嵌込み部は、前記第３面より外廓に所定間隔突出したことを特徴とする請求項８に記載の液晶表示装置モジュール。
【請求項１０】
前記下部カバーの嵌込み部は、前記第３面より高さが低いことを特徴とする請求項８に記載の液晶表示装置モジュール。
【請求項１１】
前記ワイヤホルダーの底面には、前記下部カバーの嵌込み部に嵌められるスリットが形成されたことを特徴とする請求項８に記載の液晶表示装置モジュール。
【請求項１２】
前記ワイヤホルダーのスリットは、下部カバーの長手方向に形成されたことを特徴とする請求項１１に記載の液晶表示装置モジュール。
【請求項１３】
前記ワイヤホルダーのスリットの深さは、前記ワイヤホルダー高さの約１／２であることを特徴とする請求項１２に記載の液晶表示装置モジュール。
【請求項１４】
前記メーンフレームは、前記下部カバーと前記トップフレームの第１面間に位置して、前記下部カバーに沿って延長された第１辺を有しており、前記第１辺の前記ワイヤホルダーと対応する位置に前記高圧側ワイヤ及び低圧側ワイヤが引き出される方向に突出して形成されたメーンフレームリーブを含んでいることを特徴とする請求項１に記載の液晶表示装置モジュール。
【請求項１５】
前記メーンフレームのメーンフレームリーブは、メーンフレームと同じ材質でなることを特徴とする請求項１に記載の液晶表示装置モジュール。
【請求項１６】
前記メーンフレームのメーンフレームリーブは、前記ワイヤホルダーのガイド溝と接触することを特徴とする請求項１に記載の液晶表示装置モジュール。
【請求項１７】
前記トップフレームおよび前記下部カバーは、ステンレススチールから形成されることを特徴とする請求項１に記載の液晶表示装置モジュール。
【請求項１８】
前記液晶パネルは、液晶を含んでいることを特徴とする請求項１に記載の液晶表示装置モジュール。
【請求項１９】
前記メーンフレームリーブは、ワイヤホルダーと接触し、高圧側ワイヤと低圧側ワイヤの上側に突出していることを特徴とする請求項１に記載の液晶表示装置モジュール。
【請求項２０】
前記ワイヤホルダーは少なくとも２つのガイド溝を有して、それぞれのガイド溝の開口部は前記メーンフレームリーブにより覆われ、
前記トップフレームにおいて前記ワイヤホルダーに対応する部分は、前記メーンフレームリーブにより支持され、
前記高圧側ワイヤおよび前記低圧側ワイヤは、少なくとも２つの前記ガイド溝を通して、それぞれ前記メーンフレームの内側から前記メーンフレームの外側へ引き出されることを特徴とする請求項１に記載の液晶表示装置モジュール。
【発明の詳細な説明】
【０００１】
【発明の属する技術分野】
本発明は携帯用コンピュータに用いられる液晶表示装置のバックライトに関するものであり、特に液晶表示装置のバックライトワイヤの断線を防止する構造に関するものである。
【０００２】
【従来の技術】
一般に、ノートブックコンピュータのような携帯用コンピュータは、図１に図示したように、情報入力装置であるキー入力装置１２と、記憶装置及び演算処理装置のような情報処理装置が内蔵されている本体１と、前記本体１とヒンジ１９により結合される液晶表示装置アセンブリ４とを含んでおり、液晶表示装置アセンブリ４は液晶表示装置モジュール２と内部のモジュールとを保護して収容するケース６とでなっている。ケース６は通常前方ケースすなわち上部ケースと後方ケースとに区分されるが、図１は説明の便宜のために上部ケースが除去された状態の携帯用コンピュータを図示して、図面符号２２は液晶表示装置モジュール２に光を提供するために電源役割をするインバータである。
【０００３】
以下、液晶表示装置モジュール２の構成要素であるバックライトの発光部構造を図面を参照して詳細に説明する。図２は通常のバックライトの発光部の構造を示す略構造図である。一般に冷陰極管ランプ(Ｃｏｌｄ  Ｃａｔhｏｄｅ  Ｆｌｕｏｒｅｓｃｅｎｔ  Ｌａｍｐ；ＣＣＦＬ)や熱陰極管ランプ(Ｈｅａｔ  Ｃａｔhｏｄｅ  Ｆｌｕｏｒｅｓｃｅｎｔ  Ｌａｍｐ；ＨＣＦＬ)が図示したランプ３０として用いられる。また、前記バックライトは大別して直下方式とエッジ(ｅｄｇｅ)方式とに区分される。
【０００４】
直下方式は、光源が導光板下端部に位置して、パネル全面を直接照光する方式として主にＥＬ(Ｅｌｅｃｔｒｏ  ｌｕｍｉｎｅｓｃｅｎｃｅ）が用いられるが、前記方式は消費電力が高くて、単価が高く厚さが厚い短所を有している。
【０００５】
エッジ方式は、液晶表示装置パネルの一側面または両側面に光源を設けて導光板、反射板に光線を受けて拡散する照明器具であり光源としては冷陰極管ランプ(Ｃｏｌｄ  Ｃａｔhｏｄｅ  Ｆｌｕｒｅｓｃｅｎｔ  Ｌａｍｐ；ＣＣＦＬ)が主に用いられ、薄形で重量が軽くて消費電力が低くて現在、携帯用コンピュータに広く使われている。
【０００６】
前記バックライトの発光部２６は、一般にランプ３０と、ランプ３０からの光を効率的に反射して集光するランプハウジング３４と、ランプ３０から引き出されたワイヤ２７をインバータ(２２；図１参照)に連結するコネクタ７と、前記インバータ(２２；図１参照)からの電圧をランプ２９に供給する高圧側ワイヤ２７ａと低圧側ワイヤ２７ｂとが、前記ランプ３０とハンダ付けされており、ワイヤとランプ間にはランプホルダー３２で包んでいる。
【０００７】
図３Ａは、従来の携帯用コンピュータの最終結合された液晶表示装置アセンブリのワイヤ引き出し口の拡大平面図である。
【０００８】
図示したように、従来のワイヤ引き出し口は、液晶表示装置アセンブリ４の右側下端部で熱収縮チューブ１０とランプホルダー３２とで包んだ高圧側ワイヤ２７ａと、低圧側ワイヤ２７ｂとが引き出される構造でなっており、この時、高圧側ワイヤ２７ａはランプ(図２の３０)から引き出された長さが短いために引張力によりランプ(図２の３０)との連結部位が断線される確率が大きいために高圧側ワイヤ２７ａを保護する熱収縮チューブ１０とランプホルダー３２とを包むことであり、低圧側ワイヤ２７ｂの場合にはランプ(図２の３０)間の距離が十分に長いために引き出し部で熱収縮チューブとランプホルダーとの構成は必須条件ではない。
【０００９】
前記、従来のワイヤ引き出し口構造において、組立て工程上ワイヤ２７の上側に、金型物であるトップフレーム７０がガイド役割をするようになるが、前記ワイヤ２７をコネクタ(図２の７)を通してインバータ(図１の２２)に連結時、甚だしく引っ張る場合、トップフレーム７０の鋭い角や縁部分のカッティング・バリ(ｃｕｔｔｉｎｇ  ｂｕｒｒ)という金型プレス(Ｐｒｅｓｓ)作業後残る鋭い縁部分によりワイヤ２７を包んでいるランプホルダー３２、熱収縮チューブ１０、ワイヤ２７の被覆などがむけて、ワイヤ断線が生じる虞がある。また、メーンフレーム６０もプレス金型により製造され、これもまたワイヤ２７をガイドする役割をするようになる。この時金型物であるメーンフレーム６０の角やカッティング・バリによりワイヤ２７を覆っているランプホルダー３２、熱収縮チューブ１０、被覆などがむけてワイヤ２７の断線を誘発する。
【００１０】
前記のように、ワイヤ２７に働く引張力は液晶表示装置を携帯用コンピュータに装着する場合ワイヤ２７を処理する過程で生じ液晶表示装置を包装、運搬する過程や製造する過程でインバータ(図１の２２)とコネクタ(図２の７)とを連結する時ワイヤ２７を引っ張るようになって生じるようになる。
【００１１】
図３Ｂは、図３ＡのＡ−Ａ部分側面図である。
【００１２】
図示したように、高圧側ワイヤ２７ａは、ランプ３０と連結されてメーンフレーム６０を貫通して直ちに引き出し部に出てくるが、低圧側ワイヤ２７ａはメーンフレーム６０内にランプ３０の長手方向に形成された空間を通して引き出される。
【００１３】
それゆえ、高圧側ワイヤ２７ａの引き出し部は、ランプ３０との距離が短いために特に熱収縮チューブ１０とランプホルダー３２とで包んで構成するようになるが、こういう構成によって本体(図１の１)にワイヤ２７をコネクティング(Ｃｏｎｎｅｃｔｉｎｇ)時に、前記ワイヤ２７がよく折れなくて、前記ワイヤ２７は本体(図１の１）の後方ケースに触れて組立てができない問題点が発生することである。
【００１４】
【発明が解決しようとする課題】
したがって本発明の目的は、前記記述した従来技術の短所を解消した液晶表示装置モジュールを提供することである。
【００１５】
本発明の他の目的は、液晶表示装置モジュールのバックライトワイヤの断線を効果的に防止する引き出し部構造を有する液晶表示装置モジュールを提供することである。
【００１６】
【課題を解決するための手段】
上述した目的を達成するために、本発明はバックライトワイヤの引き出し口に別途のモールド物であるワイヤホルダーを構成して、前記ワイヤホルダーにガイド溝を形成してワイヤを狭持して、前記ワイヤホルダーと対応する位置にメーンフレームリーブ(ｒｉｂ)を形成する構造を提供する。
【００１７】
特に、前記ワイヤホルダーは、下部カバーに装着され、前記下部カバーのワイヤホルダー装着部位は外部に突出している。
【００１８】
本発明の特徴によると、液晶表示装置モジュールは表示領域と側面部とを有する液晶パネルと、前記液晶パネルに光を供給して、高圧側ワイヤと低圧側ワイヤとが連結されたランプを有するバックライトと、前記液晶パネルの表示領域の縁を覆う第１面と、前記液晶パネルの側面部を覆う第２面とを有する金属製のトップフレームと、前記液晶パネルと前記バックライトとを前記トップフレームとの間に設けて前記トップフレームの第２面と結合するプラスチック製のメーンフレームと、前記ランプの長手方向に延長され、前記メーンフレームを支えて、側面部に突出部を形成した金属製の下部カバーと、前記バックライトのランプから引き出された前記高圧側ワイヤと前記低圧側ワイヤとをガイドして、前記下部カバーの突出部に装着されたプラスチック製のワイヤホルダーと、前記メーンフレームから突出して前記ワイヤホルダーと対向する位置に形成されたプラスチック製のメーンフレームリーブとを含み、前記下部カバーは、前記メーンフレームの底面と実質的に同一線上に位置して、前記ランプに沿って延長された第１面と、前記第１面から前記液晶パネル方向に垂直に折り曲げられて前記ランプの両末端外廓に位置した二つの第２面と、前記第１面と第２面とに垂直で前記ランプと平行に延長される第３面とを有する。
【００１９】
前記ワイヤホルダーは、前記第３面に装着されて、前記下部カバーの第２面から約１０ｍｍほど離隔された位置に装着され、また前記ワイヤホルダーはポリカーボネート(ＰＣ；Ｐｏｌｙ Ｃａｂｏｎａｔｅ)材質でなっている。また、前記ワイヤホルダーは前記高圧側ワイヤと前記低圧側ワイヤとを各々ガイドするガイド溝を有しており、前記各ガイド溝はＵ字形をしている。前記下部カバーの第３面は前記ワイヤホルダーが装着される嵌込み部を有しており、前記下部カバーの第３面に形成された嵌込み部は前記第３面より外廓に所定間隔突出しており、前記下部カバーの嵌込み部は前記第３面より高さが低くなっており、前記ワイヤホルダーの底面には前記下部カバーの嵌込み部に嵌められるスリット(ｓｌｉｔ)が形成されており、前記ワイヤホルダーのスリットは下部カバーの長手方向に形成されている。また、前記ワイヤホルダーのスリットの深さは前記ワイヤホルダー高さの約１／２である。前記メーンフレームは、前記下部カバーと前記トップフレームの第１面間に位置して、前記下部カバーに沿って延長された第１辺を有しており、前記第１辺の前記ワイヤホルダーと対応する位置に前記高圧側ワイヤ及び低圧側ワイヤが引き出される方向に突出して形成されたメーンフレームリーブを含んでいる。
【００２０】
前記メーンフレームのメーンフレームリーブは、メーンフレームと同じ材質でなり、メーンフレームリーブは前記ワイヤホルダーのガイド溝と接触する。前記トップフレームと下部カバーとは金属材質でなっており、前記金属材質はステンレススチール(ｓｔａｉｎｌｅｓｓｓｔｅｅｌ)である。また、前記液晶パネルは液晶を含んでいる液晶表示装置モジュールであり、前記メーンフレームリーブはワイヤホルダーと接触して高圧側ワイヤと低圧側ワイヤの上側に突出している。
【００２１】
本発明の特徴であるワイヤホルダーは、前面と後面、左側面と右側面及び上下面を有しており、左側面から右側面に掘られたスリットを下面に有しており、上面には前面から後面に掘られた複数個のガイド溝が形成されている。また、前記スリットは下面から上面に約１／２ほど掘られてあって、前記ガイド溝はワイヤの直径に対応するように形成されており、前記ガイド溝はＵ字形になっている。
【００２２】
本発明の特徴である液晶表示装置モジュールは、表示装置アセンブリと、複数本のワイヤと結合されたランプと、突出部を備えて前記ランプと前記表示装置アセンブリとを固定させるケースと、前面と後面、左側面と右側面及び上下面を有しており、左側面から右側面に掘られたスリットを下面に有しており、上面には前面から後面に掘られた複数個のガイド溝が形成されたワイヤホルダーとを有しており、前記スリットはケースの突出部と結合して、複数本のワイヤは前記ケースの内側と外側の方の間をすぎて前記複数個のガイド溝を通して外側の方に抜け出すように形成されている。
【００２３】
前記ケースは、前記ワイヤホルダーと接触するメーンフレームリーブをさらに含んで、前記ワイヤホルダーとメーンフレームリーブとは複数個のガイド溝を通過する複数本のワイヤを固定させる。また、前記表示装置アセンブリは液晶表示装置であり、バックライトアセンブリをさらに含んでいる。前記バックライトアセンブリはランプを含んでおり、前記ワイヤホルダーはプラスチックでなって、前記スリットは下面から上面に約１／２ほど掘られている。前記複数個のガイド溝は複数本のワイヤの直径に対応するように形成され、前記複数個のガイド溝はＵ字形であり、前記ケースは金属材質でなっており、前記ワイヤホルダーと前記メーンフレームリーブとは複数本のワイヤがケースの内側と外側の方の間を通過するようにすることによってケースと直接的な接触を防止するようにしている。
【００２４】
また、本発明の特徴であるコンピューターシステムは、表示装置アセンブリと、複数本のワイヤと結合されたランプと、突出部を備えて前記ランプと前記表示装置アセンブリとを固定させる第１ケースと、前面と後面、左側面と右側面及び上下面を有しており、左側面から右側面に掘られたスリットを下面に有しており、上面には前面から後面に掘られた複数個のガイド溝が形成されたワイヤホルダーとを有しており、前記スリットは第１ケースの突出部と結合して、複数本のワイヤは前記第１ケースの内側と前記第１ケースの外側の方の間をすぎて前記複数個のガイド溝を通して外側の方に抜け出すように形成されている。
【００２５】
前記第１ケースは、前記ワイヤホルダーの上部と接触するメーンフレームリーブをさらに含んで、前記ワイヤホルダーとメーンフレームリーブとは複数個のガイド溝を通過する複数本のワイヤを固定させ、前記表示装置アセンブリは液晶表示装置であり、バックライトアセンブリをさらに含んでいるコンピューターシステムが本発明の特徴である。前記バックライトアセンブリはランプを含んでおり、前記ワイヤホルダーはプラスチックになっており、前記スリットは下面から上面の方に約１／２ほど掘られている。前記複数個のガイド溝は複数本のワイヤの直径に対応するように形成されており、前記複数個のガイド溝はＵ字形であり、前記第１ケースは金属材質でなっており、前記ワイヤホルダーと前記メーンフレームリーブとは複数本のワイヤが第１ケースの内側と外側の方の間を通過するようにすることによって前記第１ケースと直接的な接触を防止するようにしている。コンピューターシステムは、前記第１ケースに結合する第２ケースをさらに含んでおり、前記第２ケースは第１ケースとヒンジ(hｉｎｇｅ)により結合し、前記第２ケースは入力装置であるキーボード(ｋｅｙｂｏａｒｄ)を収容しており、前記第２ケースはインバータ(ｉｎｖｅｒｔｅｒ)をまた収容している。前記インバータには複数本のワイヤが連結されている。
【００２６】
【発明の実施の形態】
以下、よりよい理解のために、本発明による液晶表示装置モジュール１０２の分解斜視図を通した組立て工程と液晶表示装置アセンブリ１０４のワイヤ引き出し部構造を添付された図面を参照して例を挙げて説明する。
【００２７】
液晶表示装置モジュール１０２は、図４に図示したように、光源すなわちランプ１３０を有するバックライト１２４と、駆動回路ボードであるＰＣＢ(Ｐｒｉｎｔｅｄ  Ｃｉｒｃｕｉｔ  Ｂｏａｒｄ)１２８と可撓性フィルム(Ｆｌｅｘｉｂｌｅ  ｆｉｌｍ)１２５で連結された液晶パネル１１４とに区分され、前記バックライト１２４と液晶パネル１１４とはメーンフレーム１６０とトップフレーム１７０とにより支持され、メーンフレーム１６０とバックライトとは下部カバー１８０により支持される。
【００２８】
この下部カバー１８０は、バックライト１２４のランプ１３０の長手方向に沿ってメーンフレーム１６０を支えて、メーンフレーム１６０のたわみまたはしわ(ｗｒｉｎｋｌｅ)を防止するためのことであり、したがって望ましくは鋼鉄材(ＳＵＳ)で作られる。
【００２９】
この下部カバー１８０は、必要によってバックライト１２４の反対側であるＰＣＢ１２８の位置に装着されたり２個所すべて用いることもする。
【００３０】
トップフレーム１７０は、液晶パネル１１４の側面を覆う側面部１７０ａを有している。前記可撓性フィルム１２５はＴＡＢ(Ｔａｐｅ  ＡｕｔｏｍａｔｅｄＢｏｎｄｉｎｇ)とＦＰＣ(Ｆｌｅｘｉｂｌｅ  Ｐｒｉｎｔｅｄ  Ｃｉｒｃｕｉｔ)に区分され、メーンフレーム１６０の後面に曲がり前記ＰＣＢ１２８を液晶パネル１１４に連結させる役割をするようになる。そうして、前記可撓性フィルム１２５はバックライト１２４の周辺を包むようになる。この時、前記下部カバーは可撓性フィルム１２５の下部に位置する場合もある。
【００３１】
液晶表示装置モジュール１０２の結合は、耐衝撃性を有する通常のプラスチック材質であるメーンフレーム１６０上に反射板１２４ａ、導光板１２４ｂ、第１拡散または保護シート１２４ｃ、第１及び第２プリズムシート１２４ｄ、１２４ｅ、第２拡散または保護シート１２４ｆ及び液晶パネル１１４が順に積層されて、可撓性フィルム１２５がメーンフレーム１６０底面の一部を包んでＰＣＢ１２８と連結されて、トップフレーム１７０を装着してなる。
【００３２】
図５Ａは、本発明の携帯用コンピュータの最終結合された液晶表示装置アセンブリ１０４のワイヤ引き出し口を中心に拡大した平面図であり、図５Ｂは図５ＡのＢ−Ｂ部分断面図であり、図５Ｃは図５Ａの“Ｉ”部分正面図である。
【００３３】
本発明の液晶表示装置アセンブリ及び液晶表示装置モジュール、背光装置の構造に関する説明に対しては、図１、２、３、４と重複される部分は省略して、ワイヤ引き出し口構造を中心に説明する。
【００３４】
本発明ではバックライト１２４のランプ１３０の長手方向に沿ってメーンフレーム１６０を支え、メーンフレーム１６０のたわみまたはしわを防止する役割をする鋼鉄材でなった下部カバー１８０を採択する液晶表示装置モジュールのバックライトワイヤ断線防止構造に関するものである。
【００３５】
図示したように、前記ワイヤ引き出し構造は、ランプ１３０から引き出されたワイヤ１２７がトップフレーム１７０や下部カバー１８０と直接的に触れないように構成することであり、本発明の特徴を説明すると次のようである。
【００３６】
すなわち、外部に引き出されるワイヤ１２７の断線を防止する別途のモールド物であるワイヤホルダー１００を構成して、前記ワイヤホルダー１００が効果的に安定に固定できるように下部カバー１８０の側面部から約１０ｍｍほど離隔された位置にワイヤホルダー１００が装着される下部カバー突出部３００を形成して、前記ワイヤホルダー１００のガイド溝に狭持されるワイヤ１２７が強い引張力によってトップフレーム１７０と触れないようにメーンフレーム１６０に前記ワイヤホルダー１００のガイド溝の上面と当接するメーンフレームリーブ２００を形成することが本発明の特徴である。
【００３７】
すなわち、前記ワイヤホルダー１００に狭持されたワイヤ１２７は甚だしく引っ張った時もワイヤ１２７が鋼鉄材であるトップフレーム１７０や下部カバー１８０と接触しないので、断線を防止できることである。
【００３８】
本発明のワイヤホルダー１００は、外部に引き出されたワイヤ１２７のガイド役割をするために、前記ワイヤ１２７を包む熱収縮チューブ(図示せず)とランプホルダー(図示せず)とを外部まで形成しなくても良いのでワイヤ１２７をインバータ(図１の２２参照)と連結時ワイヤ１２７が容易に曲げることができて(Ф１．０８の軟質であるワイヤ使用)、本体(図１の１参照)と液晶表示装置モジュールとの組立てが既存構造より容易である。
【００３９】
前記ワイヤホルダー１００は、ポリカーボネート材質として、耐熱性、耐酸性、耐光性で硬い絶縁性物質である。
【００４０】
図６Ａは、本発明の液晶表示装置モジュールの分解斜視図である。
【００４１】
図示したように、本発明の液晶表示装置アセンブリ組立て順序を見れば次のようである。
【００４２】
一旦、ランプ１３０に高圧側、低圧側ワイヤ１２７ａ、１２７ｂを左右同一に連結して、前記ランプ１３０にランプホルダー１３２と光を効率的に反射して集光するランプハウジング１３４を形成した後、ワイヤ１２７が連結された前記ランプ１３０、ランプハウジング１３４を下部カバー１８０に装着して、前記下部カバー１８０の突出部３００にワイヤホルダー１００を嵌めた後、ワイヤ１２７を整理して前記ワイヤホルダー１００のＵ字形の両方のガイド溝に狭持した後、前記下部カバー１８０とメーンフレーム１６０とをスクリュー１２０で締め付ける。この時、メーンフレームリーブ２００と下部カバー１８０のワイヤホルダー１００とは相互対向されるように構成し、その上にシート(Ｓhｅｅｔ)類である反射板１２４ａ、導光板１２４ｂ、第１拡散または保護シート１２４ｃ、第１プリズムシート１２４ｄ、第２プリズムシート１２４ｅ、第２拡散シート１２４ｆ・保護シート１２４ｇ等と液晶パネル１１４とが順に積層されて、駆動回路ボード(図示せず)がメーンフレーム１６０底面の一部を包んで、ブラケット１２２とスクリュー１２０とで前記モジュールを固定させた後、トップフレーム１７０を装着すれば本発明の液晶表示装置アセンブリ１０４が完成されることである。
【００４３】
この時、“Ｄ”部分は、本発明のワイヤ引き出し口組立て領域に対する表示である。
【００４４】
すなわち、本発明はバックライトワイヤ引き出し口に別途のワイヤガイド装置であるワイヤホルダーを構成して、熱収縮チューブとランプホルダーとをワイヤ引き出し部まで構成しなくても良く、またトップフレームと下部カバーのカッティング・バリや角によりワイヤが断線されることを防止するために、トップフレームとワイヤホルダー間にメーンフレームから突き出たメーンフレームリーブを形成してワイヤホルダーの上面と当接するように構成して、ワイヤホルダーが下部カバーに嵌められるように下部カバーのワイヤホルダー装着部位を突出するように形成することである。
【００４５】
図６Ｂは、図６Ａの“ＩＩ”部分拡大図であり、本発明のワイヤ引き出し口部分のみを拡大して図示したことである。
【００４６】
前記図面は、本発明のワイヤホルダー１００が下部カバー１８０に嵌められる中間過程を図示したことであり、ワイヤホルダー１００の底面には下部カバー１８０に嵌められるようにスリットを形成して、前記下部カバー１８０にはワイヤホルダー１００が安定的に嵌められるようにワイヤホルダー１００の大きさに合うように外部に突出するように突出部３００を形成することである。
【００４７】
下部カバー突出部３００は、ワイヤホルダー１００が下部カバー１８０の内部に嵌められる部分の厚さほど外部に突出するように構成する。
【００４８】
これは、ワイヤホルダー１００が下部カバー１８０内部に装着されるバックライトと接触することを防止するためのことであり、また下部カバー突出部３００はワイヤホルダー１００を左右に固定させる役割をする。
【００４９】
図６Ａで説明した組立て工程により下部カバー１８０にランプ１３０、ランプハウジング１３４とワイヤ１２７とを組立てて、スクリュー１２０で固定した後、メーンフレーム１６０を下部カバー１８０と固定するようになるが、この過程でメーンフレーム１６０には下部カバー１８０のワイヤホルダー１００と対向する位置にメーンフレームリーブ２００を形成してワイヤホルダー１００ガイド溝の上面と当接する構造を有するようになることである。
【００５０】
また、前記ワイヤ１２７にはワイヤ断線を防止する手段として、下部カバー１８０内部に熱収縮チューブとランプホルダーとが存在するが、本図面では便宜上図示を省略した。
【００５１】
図６Ｃは、本発明のワイヤホルダーの斜視図であり、矢印で表示した前記ワイヤホルダーの側面図はワイヤホルダースリットを示すためのことである。
【００５２】
図示したように、ワイヤホルダー１００の底面には下部カバー１８０の突出部３００に嵌められるようにスリットＨを形成するが、前記スリットＨの形状は前記下部カバー１８０の側面部の厚さと長さによって定まり、前記ワイヤホルダー１００が下部カバー突出部３００に嵌められた時、下部カバー側面部の高さと同じくするために、下部カバー突出部３００は下部カバー側面部高さの約１／２に構成して、前記ワイヤホルダースリットＨの深さＬはワイヤホルダー１００高さＨｇｔの約１／２に形成するようにすることである。
【００５３】
これはワイヤホルダー１００が下部カバー１８０に嵌められても、下部カバー１８０の側面部の高さに変化を与えない場合に、のち組立て工程で、メーンフレーム１６０、トップフレーム１７０を十分に装着できるので、前記ワイヤホルダー１００のスリットＨの深さ調節は重要である。
【００５４】
図６Ｄは、本発明の最終結合された液晶表示装置モジュールのワイヤ引き出し口部分の拡大斜視図である。
【００５５】
図示したように、本発明の液晶表示装置モジュールを最終結合した状態を示したことであり、図６Ａの“Ｄ”部分を中心に示したことであり、図３Ａと比較して説明すると次のようである。
【００５６】
一旦、図３Ａの場合、ワイヤ引き出し部で熱収縮チューブ１０とランプホルダー３２とが包んであるので、ワイヤ２７をコネクティング時よく折れない短所があったが、図６Ｄで図示した本発明のワイヤ引き出し部には別途の熱収縮チューブやランプホルダーなしにワイヤホルダー１００の構成で、ワイヤ引き出し部も保護して、ワイヤコネクティング作業も楽くにできることである。
【００５７】
また、図３Ａのワイヤ２７は、トップフレーム７０とメーンフレーム６０との角やカッティング・バリと直接的に触れられるので、ワイヤ被覆がむけて断線され得る問題点があったが、本発明はワイヤ１２７をワイヤホルダー１００のガイド溝に狭持した後、前記ワイヤホルダー１００の上部分をプラスチック材質のメーンフレームリーブ２００が隔てるので、前記ワイヤ１２７の断線を効果的に防止できることである。
【００５８】
本発明のワイヤ引き出し口は、必ず液晶パネルの一側面にのみ構成されることではなくて、大容量液晶表示装置パネルのような場合には両側面にランプを構成するために、これによりワイヤ引き出し口も両側下端部に構成することが可能である。
【００５９】
【発明の効果】
以上で説明したように、本発明によるバックライトのワイヤを保護するための突出部が形成された液晶表示装置モジュールによると次のような利点がある。
【００６０】
第一、トップフレームと下部カバーのカッティング・バリにワイヤが直接触れないように、ワイヤをワイヤホルダーとメーンフレームリーブ間に引き出すことによって、ワイヤ断線を防止できる。
【００６１】
第二、引き出し口にワイヤホルダーという別途のモールド物を装着することによって、ワイヤを包む熱収縮チューブとランプホルダーとを外部まで形成しなくても良いので、インバータにワイヤをコネクティング時、前記ワイヤが容易に曲がり液晶表示装置モジュールの組立てが既存構造より容易である。
【００６２】
第三、液晶表示装置モジュールの取扱時発生できる引張力がランプとワイヤに印加されることを減少させてワイヤがランプから断線されることを防止できる。
【００６３】
第四、ワイヤホルダーの装着が下部カバーに装着されることによって、液晶表示装置モジュールの厚さに大きく影響をおよぼさない。
【００６４】
一方、上述した本発明の実施例は、単に例示であり、本発明の技術的思想を外れることなく多様な変化と変形が可能であるということは本発明が属する分野の通常の知識を有する人が分かることである。
【図面の簡単な説明】
【図１】  上部ケースが除去された状態の従来の携帯用コンピュータを示す斜視図である。
【図２】  一般的な液晶表示装置モジュールのバックライトの構造を示す略構造図である。
【図３】  図３Ａは，従来の携帯用コンピュータの最終結合された液晶表示装置アセンブリのワイヤ引き出し口拡大平面図であり、図３Ｂは、図３ＡのＡ−Ａ部分断面図である。
【図４】  一般的な液晶表示装置モジュールの分解斜視図である。
【図５】  図５Ａは、本発明の携帯用コンピュータの最終結合された液晶表示装置アセンブリのワイヤ引き出し口拡大平面図であり、図５Ｂは、図５ＡのＢ−Ｂ部分断面図であり、図５Ｃは、図５Ａの“Ｉ”部分正面図である。
【図６】  図６Ａは、本発明の液晶表示装置モジュールの分解斜視図であり、図６Ｂは、図６Ａの“ＩＩ”部分拡大図であり、図６Ｃは、本発明のワイヤホルダーの斜視図であり、図６Ｄは、図６Ａの“Ｄ”部分の最終結合されたワイヤ引き出し口部分の拡大斜視図である。
【符号の説明】
１：本体
２、１０２：液晶表示装置モジュール
４、１０４：液晶表示装置アセンブリ
２７ａ、１２７ａ：高圧側ワイヤ
２７ｂ、１２７ｂ：低圧側ワイヤ
６０、１６０：メーンフレーム
７０、１７０：トップフレーム
１８０：下部カバー
１００：ワイヤホルダー
２００：メーンフレームリーブ
３００：下部カバー突出部
Ｈ：ワイヤホルダー底面スリット
【図１】
0004117760.tif 000002
【図２】
0004117760.tif 000003
【図３】
0004117760.tif 000004
0004117760.tif 000005
【図４】
0004117760.tif 000006
【図５】
0004117760.tif 000007
0004117760.tif 000008
0004117760.tif 000009
【図６】
0004117760.tif 000010
0004117760.tif 000011
0004117760.tif 000012
0004117760.tif 000013